(57)【要約】【課題】衣類の購入者が好みの部位に容易にデザイン性の優れた切り込み及びフリンジを形成可能とする衣類を提供することを目的とする。【解決手段】衣類一部に複数枚の布を重ねてなる重ね布（フリンジパーツ）を縫い止めする。  重ね布は、衣類の購入者が購入後に好みの形状に切り込むことで、切り込んだ切り口が購入者の好みのデザインを形成することとなる。  そして、切り口を揉み解してブラシなどをかけるとフリンジを形成することができる。【選択図】  図１
2005171405.tif 000002
【特許請求の範囲】
【請求項１】
衣類の一部に複数枚の布を重ねてなる重ね布を縫い止めしたことを特徴とする衣類。
【請求項２】
前記重ね布は、重ねた布の間、又は重ね布と衣類との間に隙間を形成するように縫い止めされたものであることを特徴とする請求項１記載の衣類。
【請求項３】
衣類の一部に複数枚の布を重ねてなる重ね布を略枠状に縫い止めし、外側の布と内側の布とを分離するための把持部を設けたことを特徴とする衣類。
【請求項４】
外側の布と内側の布とを分離するための把持部が持ち上げ糸であることを特徴とする請求項３記載の衣類。
【請求項５】
重ね布又は衣類の布に山形の折り縫いを施したことにより、重ねた布の間、又は重ね布と衣類との間に隙間を形成するように縫い止めされたものであることを特徴とする請求項２記載の衣類。
【請求項６】
重ね布に、刃先を挿し入れ可能な刃具挿入穴が設けられていることを特徴とする請求項１、請求項２、請求項５のいずれかに記載の衣類。
【請求項７】
内側の布と外側の布との間に棒状具を挿し入れるための、棒状具挿入穴が内側の布に設けられていることを特徴とする請求項１、請求項２、請求項５いずれかに記載の衣類。
【請求項８】
衣類の一部に、複数枚の布を重ねてなる重ね布の周りを縫い止めし、当該重ね布に切り込み誘導ステッチをいれるか、あるいは、重ね布又は衣類の布のうち外側の布に切り込みを入れてあることを特徴とする請求項１記載の衣類。
【請求項９】
内側になる布に刺繍又はプリント模様を配置し、外側になる布に切り込みを入れることにより、当該切り込み開口部より刺繍又はプリント模様が露出することを特徴とする請求項１乃至８のいずれかに記載の衣類。
【請求項１０】
匂い布、発光布、蛍光布、光反射性の布、光透過性の布、網状の布、のいずれかを重ね布内に使用していることを特徴とする請求項１乃至請求項８記載の衣類。
【請求項１１】
最も内側となる布が、弾性を備えた布又は網状あるいは光透過性の布であることを特徴とする請求項１乃至請求項１０記載のいずれかに記載の衣類。
【請求項１２】
請求項１乃至請求項１１のいずれに記載の衣類に用いられる、略同形状の複数枚の布を重ねてなる後付け用のフリンジパーツ。
【請求項１３】
前記後付け用のフリンジパーツが、衣類の外ポケット形成用であることを特徴とする請求項１２に記載の後付け用のフリンジパーツ。
【発明の詳細な説明】
【技術分野】
【０００１】
本発明は、購入者が好みに合わせてデザイン性に優れた切り込みを容易に形成し、その切り込みにフリンジが簡単に作成できる衣類に係る。
【背景技術】
【０００２】
衣類は通常販売店などで購入するが、これらの衣類は完成品として販売されており、例えばファッション性を高めるためのフリンジも、その縫い付けてある場所が決められていて、画一的な商品となっていた。
これでは、フリンジ等をアレンジして個性的に着こなしたいという最近のニーズに対応出来ていない。
購入者は、自分の好みに合っているか、着て似合うかが衣類を購入する条件の一つである。しかし、好みは購入後に変化する場合もある。
ジーンズ製衣類では購入者が、購入後に自分の好みの部位に切り込みを入れることが行われている。
しかしながら、この場合にも単にジーンズ製衣類に切り込みを入れただけの単調なものとなっていた。
【発明の開示】
【発明が解決しようとする課題】
【０００３】
本発明は上記技術的課題に鑑みて、衣類の購入者が購入後に好みに合わせて容易に切り込みをいれ、フリンジを形成することができるデザイン性に優れた衣類の提供を目的とする。
【課題を解決するための手段】
【０００４】
本発明の技術的要旨は、衣類の一部に複数枚の布を重ねてなる重ね布を縫い止めしたことを特徴とする。
重ね布（フリンジパーツ）は、衣類の購入者が購入後に好みの形状に切り込むことで、切り込んだ切り口が購入者の好みのデザインを形成することとなる。
そして、切り口を揉み解してブラシなどをかけるとフリンジを形成することができる。
フリンジは揉み解すことで色々な角度や折り曲がりを有することとなる。
この重ね布（フリンジパーツ）は、切り込みを入れる切り込み作業の作業性を向上させるために、重ね布又は衣類の布のうち外側の布と内側の布との間に隙間を形成するように縫い止めすると、切り込む布と切らない布とを分離できる。
【０００５】
その重ね布としては、小さい重ね布であればその重ね布の周囲部分だけでもよいが、広い布であれば区切り割をするように格子状等の模様状に枠縫いをするのが良い。
つまり、衣類の一部に複数枚の布を重ね、その周囲や模様状にこれらの重ね布を衣類に縫い止めをする。
ここで衣類の一部とは、少なくとも切り込みを形成可能としたい衣類の一部分を意味し、重ね布自体は衣類の多くの部分を構成していても良い。
また、重ね布は、衣類の表側からでも内側からでもよい。
このように、衣類の購入者が自分で簡単に切り込みを入れられるようにするためには、重ね布の布や衣類の布のうち、切る布と切らない布とを、切り込みを入れる際に確実に分離する必要が生じることとなる。
【０００６】
そこで、重ね布又は衣類の布のうち外側の布と内側の布とを分離するためのボタン等の把持部を、外側の布に設けるとよい。
【０００７】
外側の布と内側の布とを分離するための把持部は持ち上げ糸であっても良い。
この持ち上げ糸には釦等の飾りを取り付けると持ち上げやすい上にデザイン化することも出来る。
つまり、切る側の布等に、釦等をつけた持ち上げ糸を通して結びつけ、糸を通した布をまとめて引くことで切る側と切らない側の布を分離する。
この持ち上げ糸は重ね布を装着した部分の表側と裏側の両方に設けて、表側と裏側の両方に引く構造とするのが良い。
そして、持ち上げ糸を持ちながら持ち上げた布だけを切るようにすれば、切りたくない布を間違って切ることを防止できる。
この持ち上げ糸は、重ね布に刺繍を施してその刺繍を持ち上げるようにしても良い。
【０００８】
また、重ね布又は衣類の布のうち外側の布と内側の布との間に隙間を形成するように縫い止めする方法として山形の折り縫いを重ね布又は衣類の布に施してもよい。
【０００９】
重ね布又は衣類の布のうち外側の布に、刃先を挿し入れ可能な刃具挿入穴を設けても良い。
【００１０】
内側の布と外側の布との間に棒状具を挿し入れるための、棒状具挿入穴を内側の布に設けてもよい。
【００１１】
このように、重ね布や衣類に把持部として持ち上げ糸を設けて切る側の布である外側の布を引き、切らない側の布である内側の布を糸で引き離して切る側の布を持ち上げたままで切り込んだり、鋏等の刃具の刃先を挿入する挿入穴を切る側の布に設けてその挿入穴より刃具にて切り込んだり、布を山形状とするようなステッチなどを設けて山部分により隙間を形成させて分離しやすくした上で、山形状の山部分を鋏で切り込んだりする。
刃具を挿入する穴を設けた場合には、購入者がフリンジを創る際に鋏等刃具の刃先が簡単に切る側と切らない側の布の間に入るため、分離が簡単で切り込みやすい。
布を二つ折りにステッチで縫い止めするなど折り縫いして山形を作った場合、布の間に隙間ができるため分離しやすくなる。
また、この場合外側の布には何も形成しなくてよいため切り込み部分以外はシンプルなデザインとすることができる。
山形を最も外側の布に形成した場合には、この山形部分を切り取れば穴が開き、その穴の開いた部分から鋏等の先を入れ切り込むこととなり、切り込みやすい。
しかも、山形部分を切り込まない場合にはデザインの一部とすることが出来る。
この布の分離の方法としては、細い針状に形成し先を曲げた棒状の用具を作り、内側の切り込まない側の布に形成した穴から先を挿入し、分離したい布を持ち上げた状態で切り込む方法でも良い。
【００１２】
重ね布は衣類に、区切り状、格子状、模様状のいずれかのステッチで縫い付けると切り込みの範囲を変化させることもでき、デザインの幅も広げられる。
また、刃具での切り込みを誘導案内する模様のステッチ又はプリントを重ね布付近に配置すると、分かりやすくなる。
これは、枠状に重ね布を縫い止めしている枠形のステッチを施し、その枠形ステッチに囲まれた部分に誘導ステッチを施すものである。
この誘導ステッチは、購入者が枠形ステッチと誘導ステッチとの間を切り込むようにすることで、枠形ステッチは解れ止めの役割をはたし、誘導ステッチは鋏を入れる目安となるものである。
切り込みに際しては、この誘導ステッチ自体を解れ止めとして利用しても良い。
このように、重ね布を縫い止めしている枠内にはさまざまなステッチを入れることで切り込み誘導ステッチとしたり、色々な柄とすることができる。
また、重ね布を縫い止めした枠内の、内側の重ね布または衣類の布に刺繍又はプリントを施すと、布を切り込んだ開口部から、これらの刺繍やプリントが見えるようなデザインに出来る。
【００１３】
このように、刺繍やプリント切り込みの中の下地部分に配置して開口部から露出するようにすることでもデザイン性を向上させることができる。
また重ね布は、衣類に縫い止めした部位を衣類の接ぎ目とすると、接ぎ目にファッション性を付加できる。
【００１４】
一方、重ね布を衣類に縫い止めした部位を衣類のポケット形成予定位置にすると、購入者が切り込む事で、購入者の好みにあった形状のポケットの口を形成することが簡単にできる。
【００１５】
重ね布はフリンジパーツとして衣類に後付けし、購入者好みの部位に装着して切り込むこともできる。
【００１６】
この、衣類に後付け用のフリンジパーツは衣類のポケット形状に形成すると、後付け用ポケットパーツとして衣類に好みの切り込みデザインを形成したポケット袋を装着できる。
【００１７】
本発明の衣類は、衣類の一部に、複数枚の布を重ねてなる重ね布の周りを縫い止めし、重ね布又は衣類の布のうち外側の布に切り込みを入れた衣類としても良い。
重ね布に形成した切り込みは、その端部を揉みほぐしてフリンジを形成する。
【００１８】
内側になる布に刺繍又はプリント模様を配置し、外側になる布に切り込みを入れることにより、当該切り込み開口部より刺繍又はプリント模様が露出する。
【００１９】
重ね布内に、匂い布、発光布、蛍光布、光反射性の布、光透過性の布、網状の布、のいずれかを使用することも出来る。
このように、特殊な機能を備えた機能性素材からなる布を使用すると、切り込み部分における、付加価値が高くなる。
また、重ね布用の布は折り目やカールを形成している布を使用してデザイン性を付加しても良く、様々な布を組み合わせることで機能性の向上やデザイン性の向上を図ることが出来る。
重ね布は、布毎に色や素材や生地目の配置を異ならせることでも変化が生じ、デザインの幅が広い。
【００２０】
重ね布は衣類の表側と裏側のいずれ側に装着してもよいが、衣類の裏側から縫い止めすると、衣類の表側の切り込み部分以外の意匠的統一感を得ることができる
【００２１】
内側となる布を、弾性を備えた布又は網状あるいは光透過性の布にすることも出来る。
【００２２】
このように、内側の布を弾性を備えた素材とすると、切り口部分で部分的に伸縮可能となる。
例えば、帯状の重ね布のうち最も内側の布を弾性を備えた布とし、衣類においてゴムをバンドとして使用してずれ防止を図っているズボンやスカートの腰回り等に環状に縫い止めする。
そして、購入者が好みの部位に切り込みを入れると切り込み部分の伸縮性を大きくできる。
最も内側の肌に触れる布として、網状や透明な素材で形成された透けた布を使用した場合には、肌がデザイン性に優れた切り込みの間から透けて見えることとなり、これまでにないファッション性を得ることが出来る。
【発明の効果】
【００２３】
本発明に係る衣類においてはフリンジパーツ布部分に購入者が少し手を入れて、切り込みやフリンジを形成することで、そのデザインを購入者の好みを反映させたものに容易にできる。
また、ある程度着用後に手を加えることで簡単にデザインを変更できる。
この切り込みの形成は、フリンジパーツや衣類に、切り込みを入れる布を分けやすくするための持ち上げ糸等の把持部を設けたり、山形の折り縫いを設けて布間に隙間を形成すると、切り込む布と切らない布とを確実に分けることができ、切り込みの失敗を防止する。
また、鋏等の刃具の先を挿入する挿入穴を設けたり、穴を設けて棒状具を挿し込み隙間を広げるようにしても、不要な部分を切り込んでしまうことや、購入者の考えと違う形状の切り込みとなってしまうことを防止できる。
このように、切る側の布と切らない側の布を確実に分ける構造とすることで、切り込み作業が簡単になり、切り込み形状に購入者の多様な考えを反映しやすくなる。
【００２４】
この切り込みは、フリンジパーツの布の素材や柄、色などを異なった布を使用することによりその種類を用意に増やし、その違いを楽しむことが出来る。
また、切れば匂いが出る素材や発光素材等の機能性素材を重ねフリンジパーツ内に組み合わせることで、機能性も高められる。
最下部の生地をゴム状の素材とした場合には、ゴム状の素材以外に部分的に切り込みを入れることで、その伸縮は購入者の好みに合わせられる。
【発明を実施するための最良の形態】
【００２５】
図１に本発明に係る衣類として、ズボンに適用した例を示す。
尚、本発明はズボンに限らずスカートやコート等広範囲の衣類に適用され、それぞれに今までとは異なった雰囲気をかもし出すことが出来る。
ズボン１１の前面には、略同形状の複数枚の布を重ねてなるフリンジパーツ２０がその枠部分を縁取られるように縫い止めされている。
フリンジパーツは、小さい布であればその枠部分だけでもよいが、このように長く範囲の広い布であれば区切り割をするような格子状等の模様状に枠を縫い止めするのが良い。
これらのフリンジパーツ２０は、その表側（外側）の布を切り込むことでその切り口を購入者好みのデザインにすることとなる。
そして、切り口を揉み解しブラシなどをかけることでフリンジを形成する。
フリンジパーツ２０の縫いステッチ２４は、鋏で切り込んだ後の解れ止めの役目もあり、その形状は四角形に区切り割をする形状以外にも、円や三角や模様等どのような形でもよい。
また、フリンジパーツ２０を形成する生地は複数枚でも一枚でもよい。
【００２６】
このフリンジパーツ部分の説明をする。
図２は、３枚の生地を重ねフリンジパーツ２０にしたもので一部は格子状の縫いステッチ２４ａ、一部は区切り縫いステッチ２４ｂで押さえたものとしている。
そして、一部にハート形状の枠形ステッチ２４ｃが施され、枠形ステッチ２４ｃの内側には誘導ステッチ２４ｄが施してある。
ここで枠形ステッチ２４ｃは重ねた布を縫い止めしてあり、一方誘導ステッチ２４ｄは、重ねた布を縫い止めせず表側の布のみに施してある。
フリンジパーツ２０は図では衣類の布１０ａの表側に縫い止めして装着してあるが、衣類の裏側に装着しても良い。
図３は縫い止めしたフリンジパーツ２０のステッチに囲まれた中心から切り込み２３を入れた状態である。
図２におけるハート形状の枠形ステッチ２４ｃと誘導ステッチ２４ｄとの間が切り込まれることで枠形ステッチが解れ止めとなり、これ以上布が解れないようになっている。
切り込みは図２における誘導ステッチの内側に入れ、誘導ステッチを解れ止めとしてもよい。
このように、フリンジパーツ２０を衣類の表側に装着した場合には、フリンジパーツの外側面から切り込みを入れる。
一方、フリンジパーツを衣類の裏側に装着した場合には衣類の布から切り込みを入れる。
切り込みの入れ方は例えば花の形状であれば花びらの形状に布を切り取り、フリンジパーツは、その切り込んだ形状の房飾りのフリンジ状態となる。
切り込んだフリンジパーツ２０は、切った部分を揉み解すことで図４に示すようにフリンジ２２を形成する。
フリンジ２２の長さと形状は切り込む形状と長さで調節でき、様々なフリンジが楽しめる。
フリンジパーツ２０の下の衣類の表面には刺繍やプリントなどを色彩豊かに施し、図５のように外側の布を鋏で切り込むことで下部の絵柄２６を見え隠れに表現しても良い。
【００２７】
次に購入者がフリンジパーツを切り込む際に、切り込みやすくする構造について説明する。
図６（イ）では、フリンジパーツ２０を縫い止めしたステッチに囲まれた枠の範囲内の、外側のフリンジパーツの布２１と内側の衣類の布１０ａとを分離するための把持部として、持ち上げ糸３１、３２を設けている。
この持ち上げ糸３１、３２は外側のフリンジパーツ２０の布２１と内側の衣類の布１０ａのそれぞれに設けられ、外側の糸３１は切り込む布同士を通して結び、内側の糸は切り込まない布を結び、両側へ引くことで内側と外側の布を分離する。
外側の持ち上げ糸３１には釦３１ａなどの飾りを付けると、持ち上げやすい上に衣類のデザインとすることができる。
布を切り込む際には図６（ロ）に示すように外側の持ち上げ糸３１と内側の持ち上げ糸３２を引くことで布をまとめて引き離し、隙間３０を広げて布を切る側と切らない側とに分離する。
そして、図６（ハ）に示すように外側の持ち上げ糸３１を持ちながら持ち上げた布２１だけを鋏等の刃具１で切るようにすれば、切りたくない内側の布１０ａを間違って切ることを防止できる。
切り込みを入れてフリンジ２２を形成した状態を図６（ニ）に示す。
【００２８】
図７では別の切り込みやすい構造として、山形の折り縫い３５をフリンジパーツの布２１に施している。
このように布２１を二つ折りにステッチで縫い止めして、例えば図７に示すように山形３５を最も外側の布から切り取りたい内側の布までを折り縫いして形成した場合には、この山形３５部分を切り取れば穴が開き、その穴の開いた部分から鋏１等の先を入れて切り込んでいく。
しかも、山形３５部分を切り込まない場合にはデザインの一部とすることが出来る。
一方、最も外側の布には山形を形成せず、内側の布に山形を形成した場合には山形がその一つ外側の布の間に隙間を形成するため分離しやすくなる。
また、この場合外側の布には何も形成しなくてよいため切り込み部分以外はシンプルなデザインとすることができる。
【００２９】
図８（イ）はフリンジパーツ２０の布２１に、刃具を挿し入れ可能な刃具挿入穴３３を設けて、簡単に切り込めるようにした場合を示す。
このように刃具を挿入する刃具挿入穴３３を設けた場合には、断面の模式図を図８（ロ）に示すように、購入者がフリンジを創る際に鋏等の刃具１の刃先が簡単に切る側と切らない側の布の間の隙間３０に入るため分離が簡単で切り込みやすい。
この穴は、格子状のステッチ２４ｂの中心や区切り上の中間点等でよく、布２１一枚一枚を穴３３の縁を菊穴状等に刺繍で縁取りをしてまとめることで切りやすくなる上にデザインとして楽しむことも出来る。
【００３０】
図９は内側の布と外側の布との間に棒状具を挿し入れるための、棒状具挿入穴を内側の布に設けた場合の断面の模式図を示す。
この場合、細い棒状の先を滑らかに曲げた棒状具３４ａを作り、内側の切り込まない側の衣類の布１０ａに形成されている穴３４から棒状具３４ａの先を挿入し、分離したい外側の布２１を持ち上げた状態で切り込む。
棒状具３４ａの使い方としては、布１０ａを引いて切り込む様にしても良い。
購入者が切り込みやすくする構造としては、この他に重ね布の外側の布と内側の布との間に隙間が形成されるように、フリンジパーツを衣類の布に対して膨らませた形状で縫い止めしてもよい。
【００３１】
フリンジパーツへの切り込みの入れ方は、例えばフリンジパーツ表面に鋏などの方向を指し示すように施されている誘導ステッチに沿うように鋏を入れる。
また、この切り方次第でいろいろ違ったデザインとすることも出来る。
切り込みを入れた部分は両手で揉み解すことでフリンジ状にする。
あらかじめ、切り込みを入れた衣類とした場合にはフリンジを形成した後に、ストーン洗い、バイオ洗い、製品後染め加工等いろいろな後処理をすることで、それぞれ異なった模様やフリンジ状態となる。
【００３２】
フリンジパーツの位置は、例えば衣類の接ぎ目に縫い止めすると、接ぎ目にファッション性を付加できる。
また、図１０（イ）に示すように衣類としてスカート１２のポケット形成予定位置Ａにフリンジパーツを裏側から装着すると、図１０（ロ）に示すように購入者が切り込む事で購入者の好みにあった形状のポケットの口２３ｂを、購入後の好きな時に切り込んで簡単に形成することがにできる。
図１０（イ）に示すスカート１２の裾のＢで示す位置には斜めにフリンジパーツが装着され、購入後のしばらく着用したのちに例えば図１０（ハ）に拡大図を示すように切り込みを多数形成することでデザインを変えることが出来る。
【００３３】
図１１（イ）には、フリンジパーツ２０を衣類の締め止め用のゴムの位置に内側から取り付けた例を示す。
この場合フリンジパーツ２０は帯状とし、スカート１２のゴムバンド位置にあたる腰回りに環状に縫い止めしている。
フリンジパーツ２０の前部分の拡大図を図１１（ロ）に示すように、最も内側の布はゴム状に弾性を備えた布２１ａとなっている。
これにより購入者が帯状の好みの場所に切り込み２３を入れることで、切り込み２３部分の布の伸縮の規制が弱まり、伸縮幅を大きくすることができる。
つまり、切り込みによるフランジを形成したファッション性と、好みの場所での衣類の締め付けという機能性を付加することができる。
このようにフリンジパーツは衣類の中間部や衣類の接ぎ目など様々な部位に装着することで、切り込みやフリンジを形成して従来にはないデザインや機能を楽しむことができる。
【００３４】
図１２にフリンジパーツを衣類用後付けパーツとして衣類に装着する例を示す。
図１２（イ）は後付けポケット用の衣類用後付けパーツ４０をズボン１１に装着した状態を示し、図１２（ロ）は衣類用後付けパーツ４０を示す。
この衣類用後付けパーツ４０は、衣類の外ポケット用に袋状に形成され、ポケットの口はフラップ４１で覆われている。
そして、購入者は好みの切り込みを入れて切り込みの開口部２３ａを設け、フリンジ２２を形成して例えばズボン１１の好みの部位に縫い止めする。
これにより、衣類に好みの切り込みデザインを形成したポケット袋を簡単に形成できる。
この、衣類用後付けパーツ４０においても、把持部としての持ち上げ糸を設けたり、刃具を挿し込む穴や棒状具を挿し入れるための穴を設けることで切り込みやすくなる。
【００３５】
図１３はズボン１１に装着したフリンジパーツ２０に切り込みを入れてフリンジ２２を形成した状態である。
本発明に係る衣類はあらかじめこのように切り込みし、フリンジを形成しておいても、これまでにないデザインの衣類となる。
【００３６】
これらのフリンジパーツに使用する布は、芳香を発する匂い布、発光布、蛍光布、光反射性の布、光透過性の布、網状の布等の特殊な機能を備えた布を合わせこむと、切り込むことで衣類の機能自体を変えて楽しむことができる。
フリンジパーツを形成する布は、衣類と同じ生地目や同質の布でなくても良く、なるべく織物で織密度が粗い生地が適当な生地である。
またニット地も適当で、ニット地はロールのように丸くなる性質があるため一層違った形に出来る。
【００３７】
また、フリンジパーツは図１４に示すように衣類の布１０ａに対して異形状の布２１ｂ、２１ｃ、２１ｄを積み重ね、縫い止めしてもよい。
この場合、縫い止めされている布の外端を折り込まないことで縁部分を解してフリンジ２２を形成することができる。
【図面の簡単な説明】
【００３８】
【図１】本発明に係る衣類として、ズボンに適用した例を示す。
【図２】３枚の生地を重ねフリンジパーツにした例を示す。
【図３】フリンジパーツに切り込みを入れた状態を示す。
【図４】切り込みにフリンジを形成した状態を示す。
【図５】切り込みの間から絵柄が見えるようにした場合を示す。
【図６】持ち上げ糸を設けた場合を示し、（イ）はフリンジパーツの模式的な斜視図を示し、（ロ）は糸を引く前の状態の断面図を示し、（ハ）は糸を引いた状態の断面図を示し、（ハ）は切り込みを入れた状態の斜視図を示す。
【図７】山形の折り縫いを設けた場合の模式図を示す。
【図８】刃具を挿し入れる挿入穴を設けた場合を示し、（イ）は模式的な斜視図を示し、（ロ）は断面図を示す
【図９】フリンジパーツに棒状具を挿し込む挿入穴を設けた場合の断面図を示す。
【図１０】（イ）フリンジパーツをスカートのポケット形成予定位置に設けた場合を示す。（ロ）スカートの布を切り込みフリンジパーツでポケットを形成した状態を示す。（ハ）スカートの裾に切り込みを形成した状態を示す。
【図１１】（イ）フリンジパーツをスカートの締め止め用のゴムの位置に取り付けた例を示す。（ロ）フリンジパーツの前部分の拡大図を示す
【図１２】（イ）後付けフリンジパーツを後付けポケットとしてズボンに装着した例を示す。（ロ）後付けポケット用の後付けフリンジパーツを示す。
【図１３】フリンジパーツに切り込みを入れてフリンジを形成したズボンを示す。
【図１４】異形状の布を重ねてフリンジパーツを形成した場合を示す。
【符号の説明】
【００３９】
１      刃具（鋏）
１０    衣類
１０ａ  衣類の布
１1     ズボン
１２    スカート
２０    フリンジパーツ（重ね布）
２０ａ  帯状のフリンジパーツ
２１    フリンジパーツの布
２１ａ  弾性を備えたフリンジパーツの布
２１ｂ、２１ｃ、２１ｄ  異形状のフリンジパーツの布
２２    フリンジ
２３    切り込み
２３ａ  切り込みの開口部
２３ｂ  ポケットの口とした切り込みの開口部
２４    縫いステッチ
２４ａ  格子状の縫いステッチ
２４ｂ  区切り縫いステッチ
２４ｃ  枠形ステッチ
２４ｄ  誘導ステッチ
２６    絵柄
３０    隙間
３１    外側の持ち上げ糸
３１ａ  外側の持ち上げ糸に取り付けた釦
３２    内側の持ち上げ糸
３３    刃具挿入穴
３４    棒状具挿入穴
３４ａ  棒状具
３５    山形の折り縫い
４０    衣類用後付けパーツ（後付け用ポケット）
４１    ポケットのフラップ
Ａ      スカートのポケット形成予定位置
Ｂ      スカートの裾前部
【図１】
2005171405.tif 000003
【図２】
2005171405.tif 000004
【図３】
2005171405.tif 000005
【図４】
2005171405.tif 000006
【図５】
2005171405.tif 000007
【図６】
2005171405.tif 000008
【図７】
2005171405.tif 000009
【図８】
2005171405.tif 000010
【図９】
2005171405.tif 000011
【図１０】
2005171405.tif 000012
【図１１】
2005171405.tif 000013
【図１２】
2005171405.tif 000014
【図１３】
2005171405.tif 000015
【図１４】
2005171405.tif 000016